(57)【特許請求の範囲】
【請求項１】
円筒状のオブジェクト容器と、これを載せて回転させる載物台と、万華鏡ミラーとからなる万華鏡映像撮影装置であって、載物台に載せられた円筒状のオブジェクト容器の一端から容器内部に封入されたオブジェクトを覗くように配置された万華鏡ミラーの他端から見える万華鏡の映像を撮影し、テレビモニターに映し出すためのカメラが取り付けられ、かつ当該カメラの天側が、３角形に組んだ万華鏡ミラーの短辺側に合わせて取り付けられていることを特徴とする万華鏡映像撮影装置。
【請求項２】
円筒状のオブジェクト容器と、これを載せて回転させる載物台と、万華鏡ミラーとからなる万華鏡映像撮影装置であって、載物台に載せられた円筒状のオブジェクト容器の一端から容器内部に封入されたオブジェクトを覗くように配置された万華鏡ミラーの他端から見える万華鏡の映像を撮影し、テレビモニターに映し出すためのカメラが取り付けられ、かつ当該カメラの天側が、３角形に組んだ万華鏡ミラーの短辺に対して万華鏡ミラーの狭角の２分の１の角度傾けて取り付けられていることを特徴とする万華鏡映像撮影装置。
【請求項３】
円筒状のオブジェクト容器と、これを載せて回転させる載物台と、万華鏡ミラーとからなる万華鏡映像撮影装置であって、載物台に載せられた円筒状のオブジェクト容器の一端から容器内部に封入されたオブジェクトを覗くように配置された万華鏡ミラーの他端から見える万華鏡の映像を撮影し、テレビモニターに映し出すためのカメラと、当該カメラの光軸を回転軸として回転させるカメラ支持台と、カメラ支持台を回転させる駆動装置を更に有することを特徴とする万華鏡映像撮影装置。
【請求項４】
円筒状のオブジェクト容器を載せて回転させる載物台の回転駆動装置および、万華鏡の映像を撮影するカメラの光軸を回転軸として回転するカメラの回転駆動装置の両方または片方のモーターを、音楽のリズムやイメージと回転速度との関係をプログラムした機器に接続したことを特徴とする請求項１、請求項２、または請求項３記載の万華鏡映像撮影装置。
【発明の詳細な説明】
【技術分野】
【０００１】  本発明は万華鏡のオブジェクト容器やカメラを自動的に回転させ、変化する万華鏡映像を撮影する装置に関する。
【背景技術】
【０００２】  従来の万華鏡は、万華鏡の映像を個人毎に覗いて楽しむものが主流であり、その他、万華鏡映像のＤＶＤや万華鏡映像生成ソフトを用いてテレビモニターで鑑賞するものも楽しまれている。【０００３】  しかし、個人毎に覗いて楽しむ従来の万華鏡は、その美しい映像を見た感動を多数の人と共有することができない。
また、万華鏡映像のＤＶＤや万華鏡映像生成ソフトを用いてテレビモニターで鑑賞するものは同時に多数の人と見ることができるが、記録されたデータに基づく映像の再生であり、無限に千変万化する万華鏡本来の映像ではない点、面白味に欠けるという問題があった。
【発明の開示】
【発明が解決しようとする課題】
【０００４】  本発明は以上のような従来の万華鏡の問題点に鑑み、カメラにより撮影した万華鏡映像をテレビモニターに映し出し、万華鏡本来の特色である無限に千変万化するその美しい映像に接した感動を多数の人と共有することができる万華鏡映像撮影装置を提供することを目的とにある。【０００５】  本発明の前記ならびにそのほかの目的と新規な特徴は、次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】  上記目的を達成するために、本発明はオブジェクト容器と、載物台と、万華鏡ミラーとからなる万華鏡映像撮影装置であって、前記オブジェクト容器は、容器内部にオブジェクトが封入された円筒状の容器であって、前記載物台は、円筒状のオブジェクト容器の外周の２本の稜線を水平に支持するように配置された１対の支持ローラーと、支持ローラーの１つが外周を摩擦の大きな材料で覆われた駆動ローラーとなっており、これを回転させる駆動装置と、一端から円筒状のオブジェクト容器内部に封入されたオブジェクトを覗くように配置された万華鏡ミラーと、万華鏡ミラーの他端から見える万華鏡の映像を撮影し、テレビモニターに映し出すためのカメラで万華鏡映像撮影装置を構成している。
【発明の効果】
【０００７】  以上の説明から明らかなように、本発明にあっては次に列挙する効果が得られる。【０００８】  ［請求項１］では、円筒型のオブジェクト容器の回転軸心を水平に配置して回転させることにより、容器に封入されたオブジェクトのかき混ぜ効果が生じ、映像が無限に千変万化する万華鏡の映像の特色が発揮される。【０００９】  また、円筒型のオブジェクト容器をモーターで自動で回転させることにより、無限に千変万化し、ゆったりと動く万華鏡映像を安定的にエンドレスに継続して映し出すことができる。このため、ショーウィンドーや待合室のディスプレイなど常時管理人の居ない環境で使用しやすい。【００１０】  円筒状のオブジェクト容器の２本の稜線が、回転軸が平行して置かれた一対のローラーで支持されているため、この一対のローラーの中央に跨って載せると、セルフ調心機能が働き、円筒状のオブジェクト容器がその回転軸を中心に自動的に回転する。このため軸受けに固定する必要がなく、オブジェクト容器の着脱が容易である。【００１１】  オブジェクト容器を回転する支持ローラーに載せるだけなので、万華鏡映像撮影装置へのオブジェクト容器のセットや交換が、ワンタッチでできる。【００１２】  オブジェクト容器は、回転する支持ローラーに載せることによりその自重で回転力を得ており、回転に巻き込まれる恐れが少なく安全である。【００１３】  円筒状のオブジェクト容器の２本の稜線が、回転軸が平行して置かれた一対のローラーで支持されているため、この一対のローラーの中央に跨って載せると楔効果が働き、円筒状のオブジェクト容器の外周への駆動ローラーの押付力が増加し、伝わる回転力が増加する。【００１４】  ［請求項２］では、万華鏡映像を映すカメラの天側が、３角形に組んだ万華鏡ミラーの短辺側に合わせて取り付けられているため、テレビモニターに映し出された万華鏡映像の１次映像に現れる万華鏡ミラーの合わせ目の線が画面中央から下方に向かって表示される。このため、万華鏡映像を大型でワイドなテレビモニターに映しても、万華鏡映像のミラーの合わせ目に発生しやすい黒いスジや絵柄のズレが目立つことが軽減される。【００１５】  カメラで映した万華鏡映像を接続したテレビモニターに映し出し、無限に千変万化する美しい万華鏡映像に接した感動を、多数の人と共有することができる。【００１６】  ［請求項３］では、接続したテレビモニターに映し出した万華鏡映像の絵柄の対称軸が、テレビモニターの画面の縦または横に平行になり、安定感のある万華鏡映像を鑑賞することができる。【００１７】  ［請求項４］では、テレビモニターに映った万華鏡の映像が動くだけでなく、万華鏡の映像の中心を回転軸として回転する。このため、より複雑な万華鏡映像をを鑑賞することができる。【００１８】  ［請求項５］では、万華鏡映像が変化する速度が音楽のリズムやイメージに合わせて変化し、音楽とコラボした万華鏡映像をを鑑賞することができる。
【発明を実施するための最良の形態】
【００１９】  以下、図面に示す発明を実施するための最良の形態により、本発明を詳細に説明する。【００２０】  図１ないし図８に示す発明を実施するための最良の第１の実施の形態において、１は本発明の万華鏡映像撮影装置である。この万華鏡映像撮影装置１は、オブジェクト容器３と、載物台と、万華鏡ミラー２とからなる万華鏡映像撮影装置であって、前記オブジェクト容器３は、容器内部にオブジェクト４が封入された円筒状の容器であって、前記載物台は、円筒状のオブジェクト容器３の外周の２本の稜線を水平に支持するように配置された１対の支持ローラー５と、支持ローラーの１つが外周を摩擦の大きな材料で覆われた駆動ローラー５Ａとなっており、これを回転させるモーター８と、一端から円筒状のオブジェクト容器３内部に封入されたオブジェクト４を覗くように配置された万華鏡ミラー２と、万華鏡ミラー２の他端から見える万華鏡の映像を撮影し、テレビモニター１８に映し出すためのカメラ取り付けられ、かつ当該カメラの天側１１Ｄが、３角形に組んだ万華鏡ミラーの短辺側２Ａに合わせて取り付けられたビデオカメラ１１Ｃがとで構成されている。【００２１】  本第１の形態で使用するオブジェクト容器は、円筒面が透明で、内部にオブジェクト４を封入したシリンダー型のオブジェクト容器３である。【００２２】  万華鏡ミラー２は、幅の広い鏡２枚と狭い鏡をその鏡面を内側にして２等辺３角形の筒状に組み立てた３ミラータイプである。
幅の狭い鏡を黒い板で構成すれば２ミラータイプとなる。
万華鏡ミラー２の構成には、そのほか各種のものがあり、本発明への適用が可能である。【００２３】  万華鏡ミラー２の一端をこのシリンダー型オブジェクト容器３の透明円筒面に向け、他端から見える万華鏡の映像をテレビモニター１８で見るために、万華鏡の映像をビデオカメラ１１で撮影する。【００２４】  上記の構成になっているため、円筒型のオブジェクト容器３を支持ローラー５に載せると、オブジェクト容器３は水平に置かれた円筒の回転軸心に沿って回転する。これにより容器に封入されたオブジェクトのかき混ぜ効果が生じ、映像が無限に千変万化する万華鏡の映像の特色が発揮される。【００２５】  また、円筒型のオブジェクト容器をモーターで自動で回転させることにより、無限に千変万化し、ゆったりと動く万華鏡映像を安定的にエンドレスに継続して映し出すことができる。このため、ショーウィンドーや待合室のディスプレイなど常時管理人の居ない環境で使用しやすい。【００２６】  円筒状のオブジェクト容器３が、その２本の稜線を回転軸が平行して置かれた一対のローラー５で支持されているため、この一対のローラー５の中央に跨って載せると、セルフ調心機能が働き、円筒状のオブジェクト容器３がその回転軸心を中心に回転する。このため軸受けに固定する必要がなく、オブジェクト容器３の着脱が容易である。【００２７】  オブジェクト容器３を回転する支持ローラー５に載せるだけなので、万華鏡映像撮影装置１へのオブジェクト容器３のセットや交換が、ワンタッチでできる。【００２８】  オブジェクト容器３は、回転する支持ローラー５に載せることによりオブジェクト容器３の自重で回転力を得ており、回転に巻き込まれる恐れがなく安全である。【００２９】  円筒状のオブジェクト容器３が、その２本の稜線を回転軸が平行して置かれた一対のローラー５で支持されているため、この一対のローラー５の中央に跨って載せると楔効果が働き、円筒状のオブジェクト容器３の外周への駆動ローラー５Ａの押付力が増加し、伝わる回転力が増加する。【００３０】  取り付けられたビデオカメラ１１に接続されたテレビモニター１８の映像１４に映る万華鏡ミラー２の１次映像１６は、直接見える原映像１５が円形に展開したものであり、図５に示すように、ミラーの合わせ目の線１７が原映像１５の反対側に出てくる。このミラーの合わせ目の線１７には、ミラーの合わせ目２Ｃが黒いスジとして現れやすい。また、ミラー角度の微妙なズレに基づく絵柄のズレがこのミラーの合わせ目の線１７に現れやすい。
一方、円筒状のオブジェクト容器３は、回転してオブジェクトのかき混ぜ効果を生かすため回転軸心を水平に配置する必要がある。すると容器のサイズに規制され、万華鏡ミラー２は図２のように横置きにせざるを得ない。
この状態で図４のようにビデオカメラ１１の天地を通常の上下にしたまま撮影すると、テレビモニターに映し出された万華鏡の１次映像１６は図５のようになり、万華鏡ミラーの合わせ目の線１７は画面中央から水平方向に表示される。
この万華鏡ミラーの合わせ目の線１７には前述したように黒いスジや映像のズレが発生しやすく、近年テレビモニターの画面がワイドになり大型で鮮明になってくると、画面中央から水平方向に走るこれらの黒いスジや絵柄のズレがより目立ってくる。
これらは見苦しく、できるだけ軽減したいものである。
本実施の形態は、ビデオカメラ１１Ｃのカメラの天側１１Ｄを、図６に示すように３角形に組んだ万華鏡ミラーの短辺側２Ａに合わせて取り付けたものである。
これにより、テレビモニター１８に映し出される万華鏡映像の１次映像１６Ａに現れる万華鏡ミラーの合わせ目の線１７は、図７に示すようにモニター画面１４の中央から下方に表示される。このため、万華鏡映像を大型でワイドなテレビモニターに映しても、万華鏡映像のミラーの合わせ目の線１７に発生しやすい黒いスジや映像のズレが目立つことが軽減され、美しい万華鏡映像を鑑賞することができる。【００３１】  図８は、テレビモニター１８にＣＤプレーヤー１９を接続したものである。テレビモニター１８に映像を映し出すことにより、万華鏡本来の特色である無限に千変万化するその美しい映像に接した感動を多数の人と共有することができると同時に、ＢＧＭが加わることにより感動が倍加する。
なお、ビデオカメラをパソコンやプリンターに接続し、気に入った場面を撮影してプリントアウトしたり、映像を記録することも可能である。
【発明を実施するための異なる形態】
【００３２】  次に、図９ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００３３】  図９ないし図１１に示す本発明を実施するための第２の形態の実施において、前記本発明を実施するための最良の第１の形態と主に異なる点は、使用するオブジェクト容器がセル型オブジェクト容器２０であることである。
セル型オブジェクト容器２０は、径に対して厚みの薄い円筒の平面部を透明にし、内部にオブジェクト４を封入したものである。
当該第２の形態は、セル型オブジェクト容器２０の平面部を万華鏡ミラー２の対物側に向け、その円周に沿って回転させるため、回転軸が平行して置かれた一対のセル型オブジェクト容器用支持ローラー２１で円筒の外周を支持するものである。
回転軸が平行して置かれた一対のセル型オブジェクト容器用支持ローラー２１のうち、駆動ローラー２１Ａは、第１の形態における駆動ローラー５Ａと同じく外周を摩擦の大きな材料で覆い、乗せた容器２０の自重で容器にモーター８の回転力を伝え回転させる構造となっている。
その他の構成と機能は、第１の形態と同様である。
なお、第１の形態であるシリンダー型オブジェクト容器３を使用可能とするためには、容器の支持部と回転駆動部を交換もしくは調整、互換性を備えて共用可能とすればよく、その構造は容易に想到できるものである。
【００３４】  図１２および図１３に示す本発明を実施するための第３および第４の形態の実施において、前記第１および第２の形態と主に異なる点は、万華鏡映像を撮影するビデオカメラ１１を省いた点にある。
このうち、図１２に示す第３の形態は使用するオブジェクト容器がシリンダー型オブジェクト容器３に対応したものである。
図１３に示す第４の形態は、使用するオブジェクト容器がセル型オブジェクト容器２０に対応したものである。
【００３５】  近年、カメラ付き携帯電話やデジカメが普及してきた。これらの撮影機器の特色はレンズの口径が小さいことであり、万華鏡の小さい覗き口からの映像撮影が容易になり、気軽に万華鏡映像の撮影が楽しめるようになってきた。
本実施の形態は、撮影機器のレンズを万華鏡ミラー２の覗き口に合わせ、万華鏡映像を撮影することに供するものである。フード１０が外光を遮り、美しい万華鏡映像の撮影を楽しめる。
万華鏡映像はモーター８によりゆったりと変化するが、必要に応じてモーター８を止め、手でオブジェクト容器を回転させ、好みの万華鏡映像を選ぶことも可能である。
勿論、フード１０直接覗いて、モーター８によりゆったりと変化する万華鏡映像をを鑑賞することができる。
【００３６】    第１の形態で説明したように、万華鏡ミラー２の１次映像２７は、直接見える原映像２６が円形に展開したものである。万華鏡映像の絵柄２３は、図１４のように、鏡面効果により原映像２６の稜線の一つに出る。従って円形に展開した絵柄２３の対称軸は、万華鏡ミラー２の狭角２４の半分の角度２５分回転している。この回転は、万華鏡ミラーの狭角２４が大きな、ポイント数の少ない万華鏡ミラーになるほど顕著となる。
近年テレビモニターの画面が大型で鮮明になってくると、この回転がより目立ってくる。
これらの絵柄の無用な回転は、ポイント数の少ない万華鏡ミラーでは不安定で見苦しく、できるだけ軽減したいものである。
図１５および図１６に示す本発明を実施するための第５の形態の実施において、前記第１および第２の形態と主に異なる点は、ビデオカメラ２８の天側２８Ａを、図１５に示すように３角形に組んだ万華鏡ミラーの短辺側２Ａに対して万華鏡ミラー２の狭角の半分２５Ａだけ傾けて取り付けられていることにある。このため、映し出されたテレビモニター映像１４の１次映像２７Ａに現れる万華鏡ミラーの絵柄２３Ａの対称軸が、図１６に示すようにテレビモニターの画面１４の縦または横に平行になり、テレビモニターの画面１４に対する万華鏡映像の絵柄２３Ａの無用な回転がなくなり、安定感のある万華鏡映像を鑑賞することができる。
【００３７】  図１７および図１８に示す発明を実施するための第６の実施の形態において、第１および第２の実施の形態と異なる点は、万華鏡の映像を撮影するビデオカメラ１１がカメラの光軸２９を回転軸として回転することである。ビデオカメラ１１はカメラ支持台３０に取り付けられ、フレーム３１に取り付けられたモーター３２により、カメラの光軸２９を回転軸として回転する。
これにより、テレビモニター１８に映った万華鏡の映像が動くだけでなく、万華鏡の映像自体も映像の中心を回転軸として回転する。このため、より複雑な万華鏡映像を鑑賞することができる。
なお、回転するビデオカメラ１１への電力の供給や情報のやりとりについては、公知技術が使用可能である。
【００３８】  図１８は、回転駆動装置のモーターを、音楽のリズムやイメージと回転速度との関係をプログラムした機器３３および３３Ａに接続したもので、音楽のリズムやイメージに合わせて万華鏡映像が変化する速度を変えることができるものである。
万華鏡映像が変化する速度が音楽のリズムやイメージに合わせて変化し、音楽とコラボしたより楽しい万華鏡映像を鑑賞することができる。
【産業上の利用可能性】
【００３９】  本発明は、万華鏡映像を個人で楽しむほか、病院やホテル、公共施設の待合室などで利用することができる。
【図面の簡単な説明】
【００４０】
【図１】本発明を実施するための最良の第１の形態の正面図。
【図２】本発明を実施するための最良の第１の形態の側面図。
【図３】本発明を実施するための最良の第１の形態の平面図。
【図４】本発明を説明するための万華鏡ミラーとビデオカメラの位置関係を示す断面図。
【図５】本発明を説明するためのテレビモニターに映った万華鏡映像の状況を説明した図。
【図６】本発明を実施するための最良の第１の形態の万華鏡ミラーとビデオカメラの位置関係を示す断面図。
【図７】本発明を実施するための最良の第１の形態のテレビモニターに映った万華鏡映像の状況を説明した図。
【図８】本発明を実施するための最良の第１の形態の万華鏡映像撮影装置と関係機器の接続図。
【図９】本発明を実施するための第２の形態の正面図。
【図１０】本発明を実施するための第２の形態の側面図。
【図１１】本発明を実施するための第２の形態の平面図。
【図１２】本発明を実施するための第３の形態の正面図。
【図１３】本発明を実施するための第４の形態の正面図。
【図１４】本発明の第５の形態を説明するためのテレビモニターに映った万華鏡映像図柄の状況を説明した図。
【図１５】本発明を実施するための最良の第５の形態の万華鏡ミラーとビデオカメラの位置関係を示す断面図。
【図１６】本発明を実施するための最良の第５の形態のテレビモニターに映った万華鏡映像の状況を説明した図。
【図１７】本発明を実施するための第６の形態の正面図
【図１８】本発明を実施するための最良の第６の形態の万華鏡映像撮影装置と関係機器の接続図。
【符号の説明】
【００４１】１、１Ａ、１Ｂ、１Ｃ、１Ｄ、万華鏡映像撮影装置  ２、万華鏡ミラー  ２Ａ、万華鏡ミラーの短辺側  ２Ｂ、万華鏡ミラーの長辺側  ２Ｃ、万華鏡ミラーの合わせ目  ３、シリンダー型オブジェクト容器  ４、オブジェクト  ５、回転軸が平行して置かれた一対のシリンダー型オブジェクト容器用支持ローラー  ５Ａ、駆動ローラー  ５Ｂ、空転ローラー  ６Ａ、従動側プーリー  ６Ｂ、駆動側プーリー、７、ベルト  ８、モーター  ９、ガイド  １０、フード  １１、１１Ｃ、ビデオカメラ  １１Ａ、１１Ｄ、ビデオカメラの天側  １１Ｂ、１１Ｅ，ビデオカメラの地側  １２、１２Ａ、１２Ｂ、万華鏡ミラーとビデオカメラの位置関係を示す断面図  １３、ビデオカメラのレンズ  １４、テレビモニター映像  １４Ａ、テレビモニター映像の天側  １４Ｂ、テレビモニター映像の地側  １５、１５Ａ、万華鏡ミラーの原映像  １６、１６Ａ、万華鏡ミラーの１次映像  １７、１７Ａ、万華鏡ミラーの合わせ目のスジ  １８、テレビモニター  １９、ＣＤプレーヤー  ２０、セル型オブジェクト容器  ２１、回転軸が平行して置かれた一対のセル型オブジェクト容器用支持ローラー  ２１Ａ、駆動ローラー  ２１Ｂ、空転ローラー  ２２．、カメラ付き携帯電話やデジカメなどの撮影機器  ２３、２３Ａ、万華鏡映像の絵柄  ２４、２４Ａ、万華鏡ミラーの狭角  ２５、２５Ａ、万華鏡ミラーの狭角の半分の角度  ２６、２６Ａ、万華鏡ミラーの原映像  ２７、２７Ａ、万華鏡ミラーの１次映像  ２８、ビデオカメラ  ２８Ａ、ビデオカメラの天側  ２８Ｂ、ビデオカメラの地側  ２９、ビデオカメラの光軸  ３０、ビデオカメラの回転支持台  ３１、フレーム  ３２、モーター  ３３、３３Ａ、音楽のリズムやイメージとモーターの回転速度との関係をプログラムした機器
【図１】
0005756968.tif 000002
【図２】
0005756968.tif 000003
【図３】
0005756968.tif 000004
【図４】
0005756968.tif 000005
【図５】
0005756968.tif 000006
【図６】
0005756968.tif 000007
【図７】
0005756968.tif 000008
【図８】
0005756968.tif 000009
【図９】
0005756968.tif 000010
【図１０】
0005756968.tif 000011
【図１１】
0005756968.tif 000012
【図１２】
0005756968.tif 000013
【図１３】
0005756968.tif 000014
【図１４】
0005756968.tif 000015
【図１５】
0005756968.tif 000016
【図１６】
0005756968.tif 000017
【図１７】
0005756968.tif 000018
【図１８】
0005756968.tif 000019